(57)【特許請求の範囲】
【請求項１】
複数の機能を実行する制御部を備えた画像形成装置であって、
予め前記画像形成装置の使用が許可されたユーザーである認証ユーザーを認証するためのログイン情報を複数の前記認証ユーザーと対応付けてそれぞれ記憶するログイン情報記憶部と、
前記ログイン情報の入力を受け付けるログイン情報受付部と、
前記ログイン情報受付部によって受け付けられた前記ログイン情報が、前記ログイン情報記憶部に記憶されている前記ログイン情報と一致する場合に、当該ログイン情報に対応する前記認証ユーザーをログイン状態にするログイン認証部と、
前記複数の機能のうち前記制御部によって実行させる対象の機能について、ユーザーによる指定を受け付けて、前記受け付けられた機能を対象機能として設定する対象機能設定部と、
前記画像形成装置が、前記ログイン状態になっている認証ユーザーが存在しない状態である初期状態のときに前記対象機能として設定可能な機能である初期認可機能を示す初期認可情報と、前記各認証ユーザーが前記対象機能として設定可能な機能であるユーザー認可機能を前記各認証ユーザーと対応付けるユーザー認可情報とを予め記憶する認可情報記憶部と、
前記複数の機能のうち互いに代替可能な機能の組み合わせを定めた代替機能情報を予め記憶する代替機能情報記憶部と、
前記ログイン認証部によって前記認証ユーザーが前記ログイン状態にされた場合に、前記対象機能設定部によって設定された対象機能のうちの、前記ログイン状態にされた認証ユーザーに対して前記ユーザー認可情報によって対応付けられたユーザー認可機能とは異なる機能であるユーザー禁止機能に代えて、前記代替機能情報で定められた前記ユーザー禁止機能に代替可能な機能のうち、前記ログイン状態にされた認証ユーザーに対して前記ユーザー認可情報によって対応付けられたユーザー認可機能と一致する機能であるユーザー代替機能を、前記対象機能として設定する対象機能変更処理を実行する対象機能変更部と、
を備え、
前記対象機能変更部は、前記対象機能変更処理において、前記ユーザー禁止機能が複数存在する場合には、前記複数のユーザー禁止機能に代えて複数のユーザー代替機能をそれぞれ前記対象機能として設定する際に、既に前記対象機能として設定済みのユーザー代替機能と共に設定可能なユーザー代替機能であるユーザー共存可能機能であって、且つ、前記ユーザー共存可能機能と共に前記対象機能として設定できない他の機能である第１排他機能の数が多いユーザー代替機能から先に、前記対象機能として順次設定する画像形成装置。
【請求項２】
前記複数の機能の中から、互いに異なる２つの機能を組み合わせる場合における複数の組み合わせについて、各組み合わせに含まれる２つの機能を前記対象機能として順次設定する場合に、前記組み合わせに含まれる機能のうち、先に設定される機能だけを前記対象機能として設定すべき組み合わせである第１パターンであるか、前記２つの機能をともに前記対象機能として設定すべき組み合わせである第２パターンであるか、又は、前記組み合わせに含まれる機能のうち、先に設定される機能の前記対象機能としての設定を解除して後に設定される機能だけを前記対象機能として設定すべき組み合わせである第３パターンであるか、を定めた設定パターン情報を予め記憶する設定パターン情報記憶部を更に備え、
前記第１排他機能は、前記ユーザー共存可能機能に対して前記第３パターンの組み合わせにより、前記先に設定される機能として組み合わされた機能であり、
前記対象機能変更部は、前記ユーザー共存可能機能を順次前記対象機能として設定する度に、当該設定対象のユーザー共存可能機能に対応する前記第１排他機能が、前記対象機能として設定されているときには、更に、当該設定対象のユーザー共存可能機能に対応する前記第１排他機能の前記対象機能としての設定を解除する請求項１に記載の画像形成装置。
【請求項３】
前記画像形成装置が前記初期状態である場合において、前記対象機能設定部によって前記対象機能が設定されたときに、当該設定された前記対象機能が前記初期認可機能と異なるときは、前記ログイン情報受付部への前記ログイン情報の入力を案内する自動ログイン制御部と、
を更に備える請求項１又は２に記載の画像形成装置。
【発明の詳細な説明】
【技術分野】
【０００１】
本発明は、画像形成装置に関し、特に、画像形成装置において実行させる対象の機能を設定する技術に関する。
【背景技術】
【０００２】
従来から、例えば、下記特許文献１及び２に記載されているように、画像形成装置に予め登録されているユーザー毎に、各ユーザーによる使用が許可された機能を予め登録しておく技術が知られている。そして、例えばユーザー名とパスワードを入力する等して、ユーザーが登録済みのユーザーであることが認証された場合には、当該ユーザーに対して予め使用が許可された機能のみ使用可能な状態にする技術が知られている。
【０００３】
また、下記特許文献３には、ユーザー名及びパスワードの入力をせずに、ユーザー認証されていないパブリックユーザーに対しては、各機能の使用を許可するか否かを予め定めたパブリック登録情報に基づいて、当該各機能の使用を許可又は拒否することによって、上記のように各機能の実行を許可又は拒否する権限を、全ての登録ユーザーに対して設定する手間を回避する技術が記載されている。
【先行技術文献】
【特許文献】
【０００４】
【特許文献１】特開２００５−０８６５６１号公報
【特許文献２】特開２００６−３４４１２８号公報
【特許文献３】特開２００７−９７０２４号公報
【発明の概要】
【発明が解決しようとする課題】
【０００５】
しかしながら、上記特許文献３において、例えば、パブリックユーザーに対して片面印刷の使用を許可するが両面印刷の使用を拒否することがパブリック登録情報によって定められている場合に、パブリックユーザーが、両面印刷を使用するための設定操作を行ってからユーザー認証を行ったときに、当該認証されたユーザーに対して片面印刷の使用が許可されているが両面印刷の使用が許可されていないことがある。この場合、当該認証されたユーザーは、両面印刷を使用するための設定を解除して、当該認証されたユーザーに対して使用が許可されている片面印刷を使用するための設定操作を改めて行う手間をかけなければならなかった。
【０００６】
このように、初期状態のときに実行対象の機能として設定されていた機能が、その後認証されたユーザーによって実行対象の機能として設定することが許可されていない機能であるとき、認証されたユーザーは、設定することが許可された代替可能な機能を実行対象として設定し直す手間をかけなければならなかった。
【０００７】
本発明は、このような事情に鑑みてなされたものであり、認証されたユーザーが存在しない初期状態からあるユーザーが認証された場合に、初期状態のときに実行可能な機能が、当該認証されたユーザーに対して実行が許可されていない機能であるときに、ユーザーが機能の設定を変更する手間を軽減することができる画像形成装置を提供することを目的とする。
【課題を解決するための手段】
【０００８】
本発明に係る画像形成装置は、複数の機能を実行する制御部を備えた画像形成装置であって、予め前記画像形成装置の使用が許可されたユーザーである認証ユーザーを認証するためのログイン情報を複数の前記認証ユーザーと対応付けてそれぞれ記憶するログイン情報記憶部と、前記ログイン情報の入力を受け付けるログイン情報受付部と、前記ログイン情報受付部によって受け付けられた前記ログイン情報が、前記ログイン情報記憶部に記憶されている前記ログイン情報と一致する場合に、当該ログイン情報に対応する前記認証ユーザーをログイン状態にするログイン認証部と、前記複数の機能のうち前記制御部によって実行させる対象の機能について、ユーザーによる指定を受け付けて、前記受け付けられた機能を対象機能として設定する対象機能設定部と、前記画像形成装置が、前記ログイン状態になっている認証ユーザーが存在しない状態である初期状態のときに前記対象機能として設定可能な機能である初期認可機能を示す初期認可情報と、前記各認証ユーザーが前記対象機能として設定可能な機能であるユーザー認可機能を前記各認証ユーザーと対応付けるユーザー認可情報とを予め記憶する認可情報記憶部と、前記複数の機能のうち互いに代替可能な機能の組み合わせを定めた代替機能情報を予め記憶する代替機能情報記憶部と、前記ログイン認証部によって前記認証ユーザーが前記ログイン状態にされた場合に、前記対象機能設定部によって設定された対象機能のうちの、前記ログイン状態にされた認証ユーザーに対して前記ユーザー認可情報によって対応付けられたユーザー認可機能とは異なる機能であるユーザー禁止機能に代えて、前記代替機能情報で定められた前記ユーザー禁止機能に代替可能な機能のうち、前記ログイン状態にされた認証ユーザーに対して前記ユーザー認可情報によって対応付けられたユーザー認可機能と一致する機能であるユーザー代替機能を、前記対象機能として設定する対象機能変更処理を実行する対象機能変更部と、を備え、前記対象機能変更部は、前記対象機能変更処理において、前記ユーザー禁止機能が複数存在する場合には、前記複数のユーザー禁止機能に代えて複数のユーザー代替機能をそれぞれ前記対象機能として設定する際に、既に前記対象機能として設定済みのユーザー代替機能と共に設定可能なユーザー代替機能であるユーザー共存可能機能であって、且つ、前記ユーザー共存可能機能と共に前記対象機能として設定できない他の機能である第１排他機能の数が多いユーザー代替機能から先に、前記対象機能として順次設定する。
【０００９】
この構成によれば、認証ユーザーがログイン状態になった場合に、ユーザー禁止機能に代えてユーザー代替機能が自動的に対象機能として設定される。このため、認証ユーザーがログイン状態になった場合に、認証ユーザーが手動でユーザー禁止機能に代えて、当該ユーザー禁止機能に代替可能なユーザー代替機能を対象機能として設定する場合に比して、ユーザー代替機能を対象機能として設定する手間を軽減することができる。
また、認証ユーザーがログイン状態になった場合に、ユーザー禁止機能が複数存在するときには、当該複数のユーザー禁止機能に代えて複数のユーザー代替機能を対象機能として設定する際に、既に対象機能として設定済みのユーザー代替機能と共に設定可能なユーザー代替機能であるユーザー共存可能機能であって、当該ユーザー共存可能機能と共に設定できない他の機能である第１排他機能の数が多いユーザー代替機能から先に対象機能として順次設定される。
したがって、後に対象機能として設定されるユーザー代替機能になるほど、共に設定できない他の機能の数が少なくなるので、後にユーザー代替機能が対象機能として設定されることによって、先に対象機能として設定されたユーザー代替機能がその設定を解除される確率を下げることができ、効率よく、複数のユーザー代替機能を対象機能として設定することができる。
【００１０】
また、前記対象機能として設定されている全ての機能に代えて、予め定められた１又は複数の機能である初期設定機能を前記対象機能として設定する処理であるオールリセット処理を実行するオールリセット処理部と、前記画像形成装置を前記初期状態に変更する指示であるログアウト指示を受け付けるログアウト指示受付部と、何れかの前記認証ユーザーが前記ログイン状態である場合において、前記ログアウト指示受付部によって前記ログアウト指示が受け付けられたときに、前記オールリセット処理部によって前記オールリセット処理を実行させるとともに、前記ログイン状態を解除して、前記画像形成装置を前記初期状態に変更する処理であるログアウト処理を実行するログアウト処理部と、前記ログアウト処理部によって前記ログアウト処理が実行された場合に、前記オールリセット処理によって前記対象機能として設定された前記初期設定機能のうち前記初期認可機能とは異なる機能である初期禁止機能に代えて、前記代替機能情報で定められた前記初期禁止機能に代替可能な機能のうち前記初期認可機能と一致する機能である初期代替機能を、前記対象機能として設定する初期機能変更処理を実行する初期機能変更部と、を更に備えることが好ましい。
【００１１】
この構成によれば、ログアウト処理が実行されると、認証ユーザーによって対象機能として設定されていた全ての機能に代えて、初期設定機能が対象機能として設定された状態となり、画像形成装置が初期状態に変更される。そして、初期機能変更部によって、当該対象機能として設定された初期設定機能のうちの初期認可機能とは異なる初期禁止機能に代えて、初期代替機能が対象機能として設定される。このため、画像形成装置が初期状態になった場合に、ユーザーが手動で初期禁止機能に代えて、当該初期禁止機能に代替可能な初期代替機能を対象機能として設定する場合に比して、初期代替機能を対象機能として設定する手間を軽減することができる。
【００１５】
また、前記対象機能変更部は、前記対象機能変更処理において、前記ユーザー禁止機能が複数存在する場合には、前記複数のユーザー禁止機能に代えて複数のユーザー代替機能をそれぞれ前記対象機能として設定する際に、既に前記対象機能として設定済みのユーザー代替機能と共に設定可能なユーザー代替機能であるユーザー共存可能機能であって、且つ、前記ユーザー共存可能機能と共に設定可能なユーザー代替機能と共に前記対象機能として設定できない他の機能である第１排他機能の数が多いユーザー代替機能から先に、前記対象機能として順次設定し、前記初期機能変更部は、前記初期機能変更処理において、前記初期禁止機能が複数存在する場合には、前記複数の初期禁止機能に代えて複数の初期代替機能をそれぞれ前記対象機能として設定する際に、既に前記対象機能として設定済みの初期代替機能と共に設定可能な初期代替機能である初期共存可能機能であって、且つ、初期共存可能機能と共に前記対象機能として設定できない他の機能である第２排他機能の数が多い初期代替機能から先に、前記対象機能として順次設定することが好ましい。
【００１６】
この構成によれば、認証ユーザーがログイン状態になった場合に、ユーザー禁止機能が複数存在するときには、当該複数のユーザー禁止機能に代えて複数のユーザー代替機能を対象機能として設定する際に、既に対象機能として設定済みのユーザー代替機能と共に設定可能なユーザー代替機能であるユーザー共存可能機能であって、当該ユーザー共存可能機能と共に設定できない他の機能である第１排他機能の数が多いユーザー代替機能から先に対象機能として順次設定される。
【００１７】
したがって、後に対象機能として設定されるユーザー代替機能になるほど、共に設定できない他の機能の数が少なくなるので、後にユーザー代替機能が対象機能として設定されることによって、先に対象機能として設定されたユーザー代替機能がその設定を解除される確率を下げることができ、効率よく、複数のユーザー代替機能を対象機能として設定することができる。
【００１８】
更に、この構成によれば、画像形成装置が初期状態になった場合に、初期禁止機能が複数存在するときには、当該複数の初期禁止機能に代えて複数の初期代替機能を対象機能として設定する際に、既に対象機能として設定済みの初期代替機能と共に設定可能な初期代替機能である初期共存可能機能であって、当該初期共存可能機能と共に設定できない他の機能である第２排他機能の数が多い初期代替機能から先に対象機能として順次設定される。
【００１９】
したがって、後に対象機能として設定される初期代替機能になるほど、共に設定できない他の機能の数が少なくなるので、後に初期代替機能が対象機能として設定されることによって、先に対象機能として設定された初期代替機能がその設定を解除される確率を下げることができ、効率よく、複数の初期代替機能を対象機能として設定することができる。
【００２０】
また、前記複数の機能の中から、互いに異なる２つの機能を組み合わせる場合における複数の組み合わせについて、各組み合わせに含まれる２つの機能を前記対象機能として順次設定する場合に、前記組み合わせに含まれる機能のうち、先に設定される機能だけを前記対象機能として設定すべき組み合わせである第１パターンであるか、前記２つの機能をともに前記対象機能として設定すべき組み合わせである第２パターンであるか、又は、前記組み合わせに含まれる機能のうち、先に設定される機能の前記対象機能としての設定を解除して後に設定される機能だけを前記対象機能として設定すべき組み合わせである第３パターンであるか、を定めた設定パターン情報を予め記憶する設定パターン情報記憶部を更に備え、前記第１排他機能は、前記ユーザー共存可能機能に対して前記第３パターンの組み合わせにより、前記先に設定される機能として組み合わされた機能であり、前記対象機能変更部は、前記ユーザー共存可能機能を順次前記対象機能として設定する度に、当該設定対象のユーザー共存可能機能に対応する前記第１排他機能が、前記対象機能として設定されているときには、更に、当該設定対象のユーザー共存可能機能に対応する前記第１排他機能の前記対象機能としての設定を解除することが好ましい。
【００２１】
この構成によれば、複数のユーザー共存可能機能を対象機能として順次設定する場合に、設定対象のユーザー共存可能機能に対して、第３パターンの組み合わせにより、先に設定される機能として組み合わされた機能の数が多いものから先に対象機能として設定される。また、ユーザー共存可能機能を対象機能として順次設定する度に、設定対象のユーザー共存可能機能に対して、第３パターンの組み合わせにより、先に設定される機能として組み合わされた機能が対象機能として設定されているときには、当該先の対象機能としての設定が解除される。
【００２２】
したがって、後にユーザー共存可能機能を対象機能として設定するほど、既に対象機能としての設定が解除されている機能の数が多くなるので、設定対象のユーザー共存可能機能に対応する第１排他機能が対象機能として設定されている可能性が低くなる。これによって、設定対象のユーザー共存可能機能との関係で、先に対象機能として設定されるべきでない対象機能としての設定を解除する処理を行う機会を軽減することができる。
【００２３】
また、前記複数の機能の中から、互いに異なる２つの機能を組み合わせる場合における複数の組み合わせについて、各組み合わせに含まれる２つの機能を前記対象機能として順次設定する場合に、前記組み合わせに含まれる機能のうち、先に設定される機能だけを前記対象機能として設定すべき組み合わせである第１パターンであるか、前記２つの機能をともに前記対象機能として設定すべき組み合わせである第２パターンであるか、又は、前記組み合わせに含まれる機能のうち、先に設定される機能の前記対象機能としての設定を解除して後に設定される機能だけを前記対象機能として設定すべき組み合わせである第３パターンであるか、を定めた設定パターン情報を予め記憶する設定パターン情報記憶部を更に備え、前記第１排他機能は、前記ユーザー共存可能機能に対して前記第３パターンの組み合わせにより、前記先に設定される機能として組み合わされた機能であり、前記対象機能変更部は、前記ユーザー共存可能機能を順次前記対象機能として設定する度に、当該設定対象のユーザー共存可能機能に対応する前記第１排他機能が、前記対象機能として設定されているときには、更に、当該設定対象のユーザー共存可能機能に対応する前記第１排他機能の前記対象機能としての設定を解除し、前記第２排他機能は、前記初期共存可能機能に対して前記第３パターンの組み合わせにより、前記先に設定される機能として組み合わされた機能であり、前記初期機能変更部は、前記初期共存可能機能を順次前記対象機能として設定する度に、当該設定対象の初期共存可能機能に対応する前記第２排他機能が、前記対象機能として設定されているときには、更に、当該設定対象の初期共存可能機能に対応する前記第２排他機能の前記対象機能としての設定を解除することが好ましい。
【００２４】
この構成によれば、複数のユーザー共存可能機能を対象機能として順次設定する場合に、設定対象のユーザー共存可能機能に対して、第３パターンの組み合わせにより、先に設定される機能として組み合わされた機能の数が多いものから先に対象機能として設定される。また、ユーザー共存可能機能を対象機能として順次設定する度に、設定対象のユーザー共存可能機能に対して、第３パターンの組み合わせにより、先に設定される機能として組み合わされた機能が対象機能として設定されているときには、当該先の対象機能としての設定が解除される。
【００２５】
したがって、後にユーザー共存可能機能を対象機能として設定するほど、既に対象機能としての設定が解除されている機能の数が多くなるので、設定対象のユーザー共存可能機能に対応する第１排他機能が対象機能として設定されている可能性が低くなる。これによって、設定対象のユーザー共存可能機能との関係で、先に対象機能として設定されるべきでない対象機能としての設定を解除する処理を行う機会を軽減することができる。
【００２６】
更に、この構成によれば、複数の初期共存可能機能を対象機能として順次設定する場合に、設定対象の初期共存可能機能に対して、第３パターンの組み合わせにより、先に設定される機能として組み合わされた機能の数が多いものから先に対象機能として設定される。また、初期共存可能機能を対象機能として順次設定する度に、設定対象の初期共存可能機能に対して、第３パターンの組み合わせにより、先に設定される機能として組み合わされた機能が対象機能として設定されているときには、当該先の対象機能としての設定が解除される。
【００２７】
したがって、後に初期共存可能機能を対象機能として設定するほど、既に対象機能としての設定が解除されている機能の数が多くなるので、設定対象の初期共存可能機能に対応する第２排他機能が対象機能として設定されている可能性が低くなる。これによって、設定対象の初期共存可能機能との関係で、先に対象機能として設定されるべきでない対象機能としての設定を解除する処理を行う機会を軽減することができる。
【００２８】
また、前記画像形成装置が前記初期状態である場合において、前記対象機能設定部によって前記対象機能が設定されたときに、当該設定された前記対象機能が前記初期認可機能と異なるときは、前記ログイン情報受付部への前記ログイン情報の入力を案内する自動ログイン制御部と、を更に備えることが好ましい。
【００２９】
この構成によれば、設定された対象機能が初期認可機能と異なる場合には、自動的にログイン情報受付部へのログイン情報の入力が案内される。このため、設定された対象機能が初期認可機能と異なる場合に、当該異なることに気づいたユーザーが手動でログイン情報受付部へのログイン情報の入力の操作を行う場合に比して、迅速に、ログイン情報の入力の操作を行うことができる。
【００３０】
このため、当該案内に従って、迅速に、例えば当該対象機能として設定された機能がユーザー認可機能として対応付けられている認証ユーザーに対応するログイン情報を入力することができ、当該対象機能として設定された機能を制御部によって実行させることが可能となる。
【発明の効果】
【００３１】
本発明によれば、認証されたユーザーが存在しない初期状態からあるユーザーが認証された場合に、初期状態のときに実行可能な機能が、当該認証されたユーザーに対して実行が許可されていない機能であるときに、ユーザーが機能の設定を変更する手間を軽減することができる画像形成装置を提供することが可能になる。
【図面の簡単な説明】
【００３２】
【図１】本発明に係る画像形成装置の一例である複合機の概略構造図。
【図２】操作部の一例を示す説明図。
【図３】複合機の電気的構成の一例を示すブロック図。
【図４】代替機能情報記憶部及び認可情報記憶部に記憶されている情報の一例を示す説明図。
【図５】対象機能変更処理を行う前後の画面の一例を示す説明図。
【図６】初期機能変更処理を行う前後の画面の一例を示す説明図。
【図７】設定パターン情報記憶部に記憶されている設定パターン情報の一例を示す説明図。
【図８】対象機能変更処理の動作の一例を示すフローチャート。
【図９】初期機能変更処理の動作の一例を示すフローチャート。
【発明を実施するための形態】
【００３３】
以下、本発明に係る実施形態を図面に基づいて説明する。図１は、本発明に係る画像形成装置の一例である複合機１の概略構造図である。
【００３４】
図１に示すように、複合機１は、原稿読取部５と、原稿給送部６と、本体部８と、操作部７と、を備えている。
【００３５】
原稿読取部５は、本体部８の上部に配設されている。原稿読取部５は、露光ランプ及びＣＣＤ（Charge Coupled Device）等からなるスキャナー部５１と、ガラス等の透明部材により構成された原稿台５２及び原稿読取スリット５３と、を備えている。
【００３６】
スキャナー部５１は、図略の駆動部によって移動可能に構成され、原稿台５２に載置された原稿を読み取るときは、原稿台５２に対向する位置で原稿面に沿って移動され、原稿画像を走査しつつ取得した画像データを後述の制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを後述の制御部１０へ出力する。
【００３７】
原稿給送部６は、原稿読取部５の上方に配設されている。原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出する原稿搬送機構６３と、を備えている。
【００３８】
本体部８は、複数の給紙カセット４６１と、給紙カセット４６１又は手差しトレイ４６２から用紙を１枚ずつ繰り出して画像形成部４へ搬送する給紙ローラー４１２と、搬出されてきた用紙に画像を形成する画像形成部４と、画像が形成された用紙が排出されるスタックトレイ４７及び排出トレイ４８と、を備えている。
【００３９】
画像形成部４は、用紙搬送部４１と、光走査装置４２と、感光体ドラム４３と、現像部４４と、転写部４５と、定着部４６と、を備えている。
【００４０】
用紙搬送部４１は、画像形成部４内の用紙搬送路中に設けられ、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００４１】
光走査装置４２は、制御部１０に入力された画像データに基づいてレーザー光を出力する。光走査装置４２は、このレーザー光によって感光体ドラム４３を走査することで、感光体ドラム４３上に静電潜像を形成する。
【００４２】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００４３】
操作部７は、複合機１の正面部に設けられ、ユーザーによる種々の操作指示を入力可能に構成されている。図２は、操作部７の一例を示す説明図である。図２に示すように、操作部７には、タッチパネル装置７１、インジケーター７２ａ〜７２ｆ、入力キー７３ａ〜７３ｄ、スイッチ７４ａ〜７４ｍ、スタートキー７５、ストップキー７６、及びリセットキー７７が設けられている。
【００４４】
タッチパネル装置（表示部）７１は、タッチパネル機能を有する液晶ディスプレイＰを備えている。タッチパネル装置７１は、このタッチパネル機能によって、液晶ディスプレイＰに表示されたソフトキーがユーザーによって触れられたときには、そのソフトキーの押下操作の指示を受け付ける。また、タッチパネル装置７１は、このタッチパネル機能によって、ジェスチャー操作の指示として、液晶ディスプレイＰ上でユーザーによって触れられている位置の軌跡を受け付ける。タッチパネル装置７１によって受け付けられた軌跡情報に基づいて、後述する制御部１０によって、ジェスチャー操作の指示が受け付けられる。
【００４５】
例えば、タッチパネル装置７１には、液晶ディスプレイＰを軽く叩くタップ操作、液晶ディスプレイＰを２本の指で摘むように操作し、又は、摘んだ状態から２本の指を広げるように操作するピンチ操作、液晶ディスプレイＰに指を触れた状態でそのまま指を滑らせるスワイプ操作、液晶ディスプレイＰを軽く払うように指を動かすフリック操作、等のジェスチャー操作の指示が入力される。
【００４６】
インジケーター７２ａ〜７２ｆは、発光ダイオードなどからなり、点滅或いは点灯／消灯することによって、複合機１の状態を示す。例えば、インジケーター７２ａは印刷中に点滅し、インジケーター７２ｂは外部にデータを送信中に点滅し、インジケーター７２ｃは外部からデータを受信中に点滅する。インジケーター７２ｄは複合機１内に備えられたハードディスクやメモリー等に記憶されているデータにアクセス中に点滅する。インジケーター７２ｅは異常が発生した場合に点灯又は点滅する。インジケーター７２ｆは複合機１に電源が投入されているときに点灯する。
【００４７】
入力キー７３ａ〜７３ｄは、数字や記号を入力したり、入力済みの文字列を消去又は確定するために設けられている。例えば、入力キー７３ａは、所謂置数キー群であり、数字や記号を入力するために設けられている。入力キー７３ｂは、所謂クリアキーであり、入力済みの文字列を消去するために設けられている。入力キー７３ｃは、所謂短縮キーであり、予めメモリー等に記憶済みの文字列を読み出して入力するために設けられている。入力キー７３ｄは、所謂エンターキー（リターンキー）であり、文字列の入力指示やソフトキーの選択指示等を確定するために設けられている。
【００４８】
スイッチ７４ａ〜７４ｍは、複合機１に備えられた各機能を切り替えるスイッチである。例えば、代表的なものとして、スイッチ７４ａは、複合機１の動作全般に関わる初期設定を行うためのシステムメニュー機能に切り替えて、各機能の初期設定値の設定操作を行わせるための操作画面を、液晶ディスプレイＰに表示するスイッチである。以下、スイッチ７４ａをシステムメニューボタン７４ａと称す。
【００４９】
スイッチ７４ｊは、スキャナー部５１で読み取られた画像データを用いて印刷するコピー機能に切り替えて、コピー機能に関わる設定操作を行わせるための操作画面を、液晶ディスプレイＰに表示するスイッチである。
【００５０】
スイッチ７４ｄは、予め複合機１の使用が許可されたユーザーである認証ユーザーを認証するログイン認証機能に切り替えるためのスイッチである。スイッチ７４ｄが押下されると、認証ユーザーを認証するためのログイン情報の入力操作を行わせるための操作画面であるログイン画面が液晶ディスプレイＰに表示される。以下、スイッチ７４ｄをログイン指示ボタン７４ｄと称す。
【００５１】
スイッチ７４ｅは、ログイン状態になっている認証ユーザーのログイン状態を解除し、複合機１を、ログイン状態になっている認証ユーザーが存在しない状態である初期状態に変更するログアウト機能に切り替えるためのスイッチである。以下、スイッチ７４ｅをログアウト指示ボタン７４ｅと称す。
【００５２】
スタートキー７５は、各機能の動作を開始するために設けられている。ストップキー７６は、各機能の動作を停止するために設けられている。リセットキー７７は、実行対象の機能としてユーザーによって設定された機能である対象機能を、後述の予め定められた初期設定機能に戻すために設けられている。
【００５３】
図３は、複合機１の電気的構成の一例を示すブロック図である。複合機１は、原稿読取部５、原稿給送部６、画像形成部４、操作部７、通信部９、及び制御部１０等の各部が相互に通信可能なように接続されている。以下、図１及び図２と同じ符号を付した部分については、特筆しない限り、説明を省略する。
【００５４】
通信部９は、ファクシミリ通信部９１及びネットワークＩ／Ｆ部９３を備えている。ファクシミリ通信部９１は、電話回線９５に接続されている。ファクシミリ通信部９１は、相手先ファクシミリとの電話回線の接続を制御するＮＣＵ（Network Control Unit）及びファクシミリ通信用の信号を変復調する変復調回路を備えている。ファクシミリ通信部９１は、原稿読取部５によって読み取られた画像データを電話回線９５を介して他のファクシミリ装置へ送信したり、他のファクシミリ装置から送信されてきた画像データを受信する。
【００５５】
ネットワークＩ／Ｆ部９３は、ＬＡＮ（Local Area Network）９７に接続されている。ネットワークＩ／Ｆ部９３はＬＡＮ９７に接続されたパソコン等の端末装置との間で通信を実行するための通信インターフェイス回路である。ネットワークＩ／Ｆ部９３は、原稿読取部５によって読み取られた画像データを、ＬＡＮ９７を介してパーソナルコンピュータ等の外部のコンピューターへ送信したり、外部のコンピューターから送信されてきた画像データを受信する。
【００５６】
４つの記憶部８１〜８４は、例えば、ＨＤＤ（Hard Disk Drive）等の記憶媒体で構成されており、記憶する情報の種類に応じてそれぞれ分類されている。
【００５７】
ログイン情報記憶部８１には、予め複合機１の使用が許可されたユーザーである認証ユーザーを認証するためのログイン情報が、複数の認証ユーザーと対応付けてそれぞれ記憶されている。例えば、ログイン情報は、認証ユーザーをそれぞれ識別するためのユーザー名、当該認証ユーザーを認証するときに入力させるパスワード、及びユーザーが所属する所属部門の名等の文字列情報によって構成されている。
【００５８】
図４は、代替機能情報記憶部８２及び認可情報記憶部８３に記憶されている情報の一例を示す説明図である。図４に示すように、代替機能情報記憶部８２には、制御部１０によって実行可能な複数の機能のうち、互いに代替可能な機能の組み合わせを定めた代替機能情報ＥＦが予め記憶されている。
【００５９】
具体的には、カラー、印刷、倍率、集約、カラーバランス、及び色相調整が、機能分類として定められている。そして、各機能分類に属する（対応付けられた）機能が、代替可能な機能の組み合わせとして定められている。
【００６０】
例えば、図４に示す代替機能情報ＥＦでは、機能分類「カラー」にカラー機能とモノクロ機能が含まれ、共に（並行して）実行させることができない代替可能な機能の組み合わせとされている。同様にして、図４に示す代替機能情報ＥＦでは、機能分類「印刷」に、両面印刷機能と片面印刷機能が含まれ、機能分類「倍率」に、自動倍率機能と固定倍率機能が含まれている。
【００６１】
また、図４に示す代替機能情報ＥＦでは、機能分類「集約」に、２枚の画像を１枚の画像に集約する２ｉｎ１集約機能と、２ｉｎ１集約機能を行わない集約オフ機能が含まれ、共に実行させることができない代替可能な機能の組み合わせとされている。同様にして、図４に示す代替機能情報ＥＦでは、機能分類「カラーバランス」に、カラーバランス調整機能とカラーバランス調整機能を行なわないカラーバランス調整オフ機能が含まれ、機能分類「色相調整」に、色相調整機能と色相調整を行なわない色相調整オフ機能が含まれている。
【００６２】
認可情報記憶部８３には、複合機１が、ログイン状態になっている認証ユーザーが存在しない状態である初期状態のときに、制御部１０によって実行させる対象の機能である対象機能として、設定可能な機能である初期認可機能を示す初期認可情報ＤＦが予め記憶されている。図４においては、初期認可情報ＤＦは、初期状態欄で表されている。そして、初期状態で「許可」とされている機能が、初期認可機能に相当している。
【００６３】
具体的には、図４に示す初期認可情報ＤＦでは、モノクロ機能、両面印刷機能、自動倍率機能、固定倍率機能、２ｉｎ１集約機能、集約オフ機能、カラーバランス調整オフ機能、及び色相調整オフ機能が、初期認可機能として定められている。つまり、複合機１が初期状態にある場合には、ユーザーは当該８つの初期認可機能のうちの１又は複数を対象機能として設定することができる。
【００６４】
尚、一つの機能分類に対して、複数の初期認可機能が属する場合には、それらの初期認可機能は、認証ユーザーがログインしていない状態（初期状態）において、共に実行させることができない代替可能な機能の組み合わせとなる。例えば、上記の８つの初期認可機能のうち、自動倍率機能と固定倍率機能は、代替機能情報ＥＦにおいて同じ機能分類「倍率」に属している。このため、複合機１が初期状態にある場合に、ユーザーは何れか一方の機能のみを対象機能として設定することができる。同様に、複合機１が初期状態にある場合に、ユーザーは代替機能情報ＥＦにおいて機能分類「集約」に属している２ｉｎ１集約機能と集約オフ機能のうち、何れか一方の機能のみを対象機能として設定することができる。
【００６５】
また、認可情報記憶部８３には、ログイン状態にある認証ユーザーが対象機能として設定可能な機能であるユーザー認可機能を、各認証ユーザーと対応付けるユーザー認可情報ＵＦが予め記憶されている。図４においては、ユーザー認可情報ＵＦは、ユーザー名欄において「許可」とされている機能が、そのユーザーが実行を許可されたユーザー認可機能である。
【００６６】
例えば、図４に示すユーザー認可情報ＵＦでは、ユーザー名「user01」で識別される認証ユーザーと対応付けるユーザー認可機能として、モノクロ機能、両面印刷機能、自動倍率機能、固定倍率機能、２ｉｎ１集約機能、カラーバランス調整オフ機能、及び色相調整オフ機能が定められている。また、ユーザー名「user02」で識別される認証ユーザーと対応付けるユーザー認可機能として、カラー機能、両面印刷機能、片面印刷機能、自動倍率機能、固定倍率機能、２ｉｎ１集約機能、カラーバランス調整機能、カラーバランス調整オフ機能、色相調整機能及び色相調整オフ機能が定められている。
【００６７】
設定パターン情報記憶部８４には、後述する設定パターン情報が予め記憶されている。
【００６８】
図３に戻り、制御部１０は、例えば、所定の演算処理を実行するＣＰＵ（Central Processing Unit）、所定の制御プログラムが記憶されたＲＯＭ（Read Only Memory）やデータを一時的に記憶するＲＡＭ（Random Access Memory）等のメモリー、画像処理等の所定の処理を高速処理可能に構成された専用ハードウェアであるＡＳＩＣ（Application Specific Integrated Circuits）、及び、これらの周辺回路等を備えている。制御部１０は、ＲＯＭ等に記憶された制御プログラムをＣＰＵによって実行することによって各種処理を実行し、複合機１内の各部の動作を制御する。
【００６９】
制御部１０は、複数の機能を実行する処理部として、本実施形態では、特に、ログイン情報受付部１１、ログイン認証部１２、対象機能設定部１３、自動ログイン制御部１４、対象機能変更部１５、オールリセット処理部１６、ログアウト指示受付部１７、ログアウト処理部１８、及び初期機能変更部１９を構成する。
【００７０】
ログイン情報受付部１１は、ログイン情報の入力を受け付ける。例えば、ログイン情報受付部１１は、ユーザーによってログイン指示ボタン７４ｄが押下された後、液晶ディスプレイＰに表示されたログイン画面に、ユーザーによってユーザー名とパスワードが入力されると、当該入力されたユーザー名及びパスワードをログイン情報として受け付ける。
【００７１】
ログイン認証部１２は、ログイン情報受付部１１によって受け付けられたログイン情報が、ログイン情報記憶部８１に記憶されているログイン情報と一致するか否かを判定する。ログイン認証部１２は、当該判定において一致すると判定した場合には、当該ログイン情報に対応する認証ユーザーをログイン状態にする。ここでログイン状態にするとは、例えば、ログイン状態になった認証ユーザーのログイン情報に含まれるユーザー名を、ＲＡＭに記憶することを示す。
【００７２】
対象機能設定部１３は、例えば、液晶ディスプレイＰに表示された操作画面の操作によって、制御部１０によって実行させる対象の機能のユーザーによる指定を受け付ける。対象機能設定部１３は、当該受け付けた機能を対象機能として設定する。ここで対象機能として設定するとは、例えば、当該対象機能を識別するための機能名等の情報をＲＡＭに記憶することを示す。
【００７３】
自動ログイン制御部１４は、複合機１が初期状態である場合において、対象機能設定部１３によって対象機能が設定されたときに、当該設定された対象機能が初期認可機能と異なるときは、ログイン画面を液晶ディスプレイＰに表示させる。これによって、自動ログイン制御部１４は、ログイン情報受付部１１へのログイン情報の入力を案内する。
【００７４】
対象機能変更部１５は、ログイン認証部１２によって認証ユーザーがログイン状態にされた場合に、対象機能変更処理を実行する。
【００７５】
図５は、対象機能変更処理を行う前後の画面の一例を示す説明図である。例えば図５（ａ）は、コピー機能に関する詳細機能を対象機能として設定するための操作画面である。図５においては、符号Ｋ１〜Ｋ６が、機能分類に属する複数の代替可能な機能の中から、対象機能としての何れかの機能を、ユーザーに指定させるためのソフトキーを示している。符号Ｆ１〜Ｆ６が、ソフトキーＫ１〜Ｋ６に対応する各機能分類に属する機能の中の、対象機能として設定された機能を示す文字列情報の表示欄になっている。
【００７６】
具体的に、図５（ａ）に示す操作画面では、複合機１が初期状態の場合に、機能分類「カラー」に対応する「カラー選択」と表示されたソフトキーＫ１の操作によって、カラー機能がユーザーによって指定され、対象機能設定部１３によってカラー機能が対象機能として設定された後、制御部１０によって、表示欄Ｆ１にカラー機能を示す情報「カラー」が表示されている状態を示している。
【００７７】
同様に、図５（ａ）に示す操作画面では、機能分類「カラーバランス」、「色相」、「倍率」、「集約」、「印刷」にそれぞれ対応するソフトキーＫ２〜Ｋ６の操作によって、カラーバランス調整オフ機能、色相調整オフ機能、自動倍率機能、２ｉｎ１集約機能、及び両面印刷機能が、対象機能として設定され、それぞれ表示欄Ｆ２〜Ｆ６に対象機能を示す情報が表示されている。
【００７８】
そして、例えば、対象機能設定部１３によってカラー機能が対象機能として設定されたときに、自動ログイン制御部１４は、例えば図４に示すように、認可情報記憶部８３に記憶されている初期認可情報ＤＦを用いて、当該対象機能として設定されたカラー機能が初期認可機能であるか否かを判定する。そして、自動ログイン制御部１４は、例えば図４に示す初期認可情報ＤＦを用いて、カラー機能が初期認可機能とは異なる機能であると判定すると、例えば図５（ｂ）に示すようなログイン画面を液晶ディスプレイＰに表示させる。
【００７９】
尚、図５（ｂ）において、符号ＩＮ１は、ユーザー名の入力欄を示し、符号ＩＮ２は、パスワードの入力欄を示している。また、キャンセルボタンＫ７は、ログイン画面を非表示にする操作を行うためのボタンを示している。ログインボタンＫ８は、入力欄ＩＮ１〜ＩＮ２に入力されたユーザー名及びパスワードを、ログイン情報受付部１１に受け付けさせる操作を行うためのボタンを示している。
【００８０】
入力欄ＩＮ１〜ＩＮ２にユーザー名「user01」及びパスワードが入力され、ログインボタンＫ８が押下されると、ログイン情報受付部１１によって入力欄ＩＮ１〜ＩＮ２に入力されたユーザー名及びパスワードが受け付けられる。当該入力されたユーザー名及びパスワードがログイン情報記憶部８１に記憶されているものと一致する場合には、ログイン認証部１２によって、ユーザー名「user01」で識別される認証ユーザーがログイン状態にされる。
【００８１】
このようにして、ユーザー名「user01」で識別される認証ユーザーがログイン状態にされると、対象機能変更部１５は、対象機能変更処理の実行を開始する。
【００８２】
対象機能変更処理では、先ず、例えば図４に示すように、認可情報記憶部８３に記憶されているユーザー認可情報ＵＦを用いて、対象機能設定部１３によって設定された対象機能の中に、ログイン状態にされた認証ユーザーに対応付けられたユーザー認可機能とは異なる機能であるユーザー禁止機能が含まれているか否かを判定する。ユーザー禁止機能が含まれている場合には、対象機能変更部１５は、当該ユーザー禁止機能を識別する情報をＲＡＭに記憶する。以下、説明の便宜上、機能を識別する情報をＲＡＭに記憶することを、機能をＲＡＭに記憶すると称す。
【００８３】
具体的には、対象機能変更部１５は、図４に示すユーザー認可情報ＵＦを用いて、図５（ａ）に示すように、対象機能として設定されているカラー機能、カラーバランス調整オフ機能、色相調整オフ機能、自動倍率機能、２ｉｎ１集約機能、及び両面印刷機能の中に、ユーザー名「user01」で識別される認証ユーザーに対応付けられたユーザー認可機能とは異なるカラー機能が含まれていると判定する。そこで、対象機能変更部１５は、カラー機能をユーザー禁止機能としてＲＡＭに記憶する。
【００８４】
次に、対象機能変更部１５は、例えば図４に示すように、代替機能情報記憶部８２に記憶されている代替機能情報ＥＦを用いて、ユーザー禁止機能に代替可能な機能のうち、ログイン状態にされた認証ユーザーに対応付けられたユーザー認可機能と一致する機能であるユーザー代替機能を、当該ユーザー禁止機能に代えて対象機能として設定する。
【００８５】
具体的には、対象機能変更部１５は、図４に示す代替機能情報ＥＦを用いて、ユーザー禁止機能であるカラー機能に代替可能な機能のうち、ユーザー名「user01」で識別される認証ユーザーに対応付けられたユーザー認可機能であるモノクロ機能をユーザー代替機能とし、当該モノクロ機能をカラー機能に代えて対象機能として設定する。これによって、対象機能変更部１５は、対象機能変更処理を終了する。
【００８６】
尚、対象機能変更部１５による対象機能変更処理が終了すると、例えば図５（ｃ）に示すように、対象機能変更処理により対象機能として設定されたモノクロ機能に対応する文字列情報が、制御部１０によって表示欄Ｆ１に表示される。
【００８７】
このように、対象機能変更部１５は、ログイン認証部１２によって認証ユーザーがログイン状態にされた場合に、対象機能設定部１３によって設定された対象機能のうち、ログイン状態にされた認証ユーザーに対してユーザー認可情報ＵＦによって対応付けられたユーザー認可機能とは異なる機能であるユーザー禁止機能に代えて、代替機能情報ＥＦで定められたユーザー禁止機能に代替可能な機能のうち、ログイン状態にされた認証ユーザーに対してユーザー認可情報ＵＦによって対応付けられたユーザー認可機能と一致する機能であるユーザー代替機能を、対象機能として設定する対象機能変更処理を実行する。
【００８８】
図３に戻り、オールリセット処理部１６は、例えばリセットキー７７が押下された場合や、後述するログアウト処理中等に、対象機能として設定されている全ての機能に代えて、予め定められた１又は複数の機能である初期設定機能を対象機能として設定する処理であるオールリセット処理を実行する。
【００８９】
ここで初期設定機能は、例えば、システムメニューボタン７４ａが押下されることによって切り替えられたシステムメニュー機能において、液晶ディスプレイＰに表示された操作画面のユーザーによる設定操作によって設定される。
【００９０】
例えば、図４において、初期設定機能は、初期設定機能欄において丸印が付されている機能に相当している。図４では、カラー機能、両面印刷機能、自動倍率機能、集約オフ機能、カラーバランス調整オフ機能及び色相調整オフ機能が初期設定機能として設定されている。
【００９１】
ログアウト指示受付部１７は、例えばユーザーによってログアウト指示ボタン７４ｅが押下された場合に、複合機１を初期状態に変更する指示であるログアウト指示を受け付ける。尚、ログアウト指示受付部１７は、これに限らず、例えば１時間毎など、予め定められた時間毎に、定期的にログアウト指示を受け付けるように構成してもよい。
【００９２】
ログアウト処理部１８は、何れかの認証ユーザーがログイン状態である場合において、ログアウト指示受付部１７によってログアウト指示が受け付けられたときに、オールリセット処理部１６によってオールリセット処理を実行させるとともに、ログイン状態を解除して、複合機１を初期状態に変更する処理であるログアウト処理を実行する。尚、ログイン状態を解除するとは、例えば、ＲＡＭに設定されているログイン状態に対応する認証ユーザーのユーザー名等の情報を削除することを示す。
【００９３】
初期機能変更部１９は、ログアウト処理部１８によってログアウト処理が実行された場合に、初期機能変更処理を実行する。
【００９４】
図６は、初期機能変更処理を行う前後の画面の一例を示す説明図である。例えば図６（ａ）は、ユーザー名「user01」で識別される認証ユーザーがログイン状態にある場合における任意の操作画面を示している。この場合に、ログアウト指示ボタン７４ｅが押下され、ログアウト指示受付部１７によってログアウト指示が受け付けられると、ログアウト処理部１８は、ログアウト処理を実行する。
【００９５】
ログアウト処理が実行されると、当該ログアウト処理内で行われるオールリセット処理部１６によるオールリセット処理によって、例えば図４に示す初期設定機能として設定されている、カラー機能、両面印刷機能、自動倍率機能、集約オフ機能、カラーバランス調整オフ機能及び色相調整オフ機能が、対象機能として設定された状態になる。ログアウト処理が実行されると、初期機能変更部１９は、初期機能変更処理の実行を開始する。
【００９６】
初期機能変更処理では、先ず、例えば図４に示すように、認可情報記憶部８３に記憶されている初期認可情報ＤＦを用いて、オールリセット処理によって対象機能として設定された初期設定機能の中に、初期認可機能とは異なる機能である初期禁止機能が含まれているか否かを判定する。初期禁止機能が含まれている場合には、初期機能変更部１９は、当該初期禁止機能をＲＡＭに記憶する。
【００９７】
具体的には、初期機能変更部１９は、図４に示す初期認可情報ＤＦを用いて、オールリセット処理によって対象機能として設定された初期設定機能である、カラー機能、両面印刷機能、自動倍率機能、集約オフ機能、カラーバランス調整オフ機能及び色相調整オフ機能の中に、初期認可機能とは異なるカラー機能が含まれていると判定する。そこで、初期機能変更部１９は、カラー機能を初期禁止機能としてＲＡＭに記憶する。
【００９８】
次に、初期機能変更部１９は、例えば図４に示すように、代替機能情報記憶部８２に記憶されている代替機能情報ＥＦを用いて、初期禁止機能に代替可能な機能のうち、初期認可機能と一致する機能である初期代替機能を、当該初期禁止機能に代えて対象機能として設定する。
【００９９】
具体的には、初期機能変更部１９は、図４に示す代替機能情報ＥＦを用いて、初期禁止機能であるカラー機能に代替可能な機能のうち、初期認可機能であるモノクロ機能を初期代替機能とし、当該モノクロ機能をカラー機能に代えて対象機能として設定する。これによって、初期機能変更部１９は、初期機能変更処理を終了する。
【０１００】
尚、初期機能変更部１９による初期機能変更処理が終了すると、例えば図６（ｂ）に示すように、初期機能変更処理により対象機能として設定されたモノクロ機能に対応する文字列情報が、制御部１０によって表示欄Ｆ１に表示される。
【０１０１】
このように、初期機能変更部１９は、ログアウト処理部１８によってログアウト処理が実行された場合に、オールリセット処理によって対象機能として設定された初期設定機能のうち初期認可機能とは異なる機能である初期禁止機能に代えて、代替機能情報ＥＦで定められた初期禁止機能に代替可能な機能のうち初期認可機能と一致する機能である初期代替機能を、対象機能として設定する初期機能変更処理を実行する。
【０１０２】
尚、対象機能変更部１５は、対象機能変更処理において、ユーザー禁止機能が複数存在する場合には、複数のユーザー禁止機能に代えて複数のユーザー代替機能をそれぞれ対象機能として設定する。対象機能変更部１５は、このように、複数のユーザー代替機能をそれぞれ対象機能として設定する場合には、既に対象機能として設定済みのユーザー代替機能と共に設定可能なユーザー代替機能であるユーザー共存可能機能であって、且つ、当該ユーザー共存可能機能と共に対象機能として設定できない他の機能である第１排他機能の数が多いユーザー代替機能から先に対象機能として順次設定する。
【０１０３】
これと同様に、初期機能変更部１９は、初期機能変更処理において、初期禁止機能が複数存在する場合には、複数の初期禁止機能に代えて複数の初期代替機能をそれぞれ対象機能として設定する。初期機能変更部１９は、このように、複数の初期代替機能をそれぞれ対象機能として設定する場合には、既に対象機能として設定済みの初期代替機能と共に設定可能である初期共存可能機能であって、且つ、当該初期共存可能機能と共に対象機能として設定できない他の機能である第２排他機能の数が多い初期代替機能から先に対象機能として順次設定する。
【０１０４】
尚、第１排他機能及び第２排他機能は、後述するように、設定パターン情報記憶部８４（図３）に記憶されている設定パターン情報を用いて把握することができる。
【０１０５】
図７は、設定パターン情報記憶部８４に記憶されている設定パターン情報ＳＰの一例を示す説明図である。例えば、図７に示すように、設定パターン情報ＳＰは、先に対象機能として設定される機能の一覧を縦軸に並べ、後に対象機能として設定される機能を横軸に並べて、互いに異なる２つの機能の組み合わせを表形式で表したものになっている。そして、表の各マスには、各マスに対応する互いに異なる２つの機能の組み合わせが、以下に示す第１パターンＰ１、第２パターンＰ２、及び第３パターンＰ３の何れのパターンであるかを示す文字列が付されている。
【０１０６】
第１パターンＰ１の組み合わせは、組み合わせに含まれる２つの機能を対象機能として順次設定する場合に、先に設定される機能だけを対象機能として設定すべき組み合わせである。図７においては、第１パターンＰ１の組み合わせに対応する各マスは、「Ｐ１」の下線付きの文字列が付された背景が斜線のマスとして表されている。
【０１０７】
例えば、図７に示す設定パターン情報ＳＰでは、モノクロ機能を先に設定される機能とし、カラーバランス調整機能を後に設定される機能とする組み合わせＣ１は、モノクロ機能が先に対象機能として設定された場合に、カラーバランス調整機能を対象機能として設定することはできず、先に設定されたモノクロ機能だけを対象機能として設定すべきであるとして、第１パターンＰ１の組み合わせとして定められている。
【０１０８】
第２パターンＰ２の組み合わせは、組み合わせに含まれる２つの機能をともに対象機能として設定すべき組み合わせである。言い換えれば、第２パターンＰ２の組み合わせに含まれる２つの機能は、互いに独立して共に動作可能である。図７においては、第２パターンＰ２の組み合わせに対応する各マスは、「Ｐ２」の文字列が付されたマスとして表されている。
【０１０９】
例えば、図７に示す設定パターン情報ＳＰでは、モノクロ機能を先に設定される機能とし、カラーバランス調整オフ機能を後に設定される機能とする組み合わせＣ２は、モノクロ機能が先に対象機能として設定された場合に、カラーバランス調整オフ機能を対象機能として設定することができ、モノクロ機能とカラーバランス調整オフ機能とをともに対象機能として設定すべきであるとして、第２パターンＰ２の組み合わせとして定められている。
【０１１０】
第３パターンＰ３の組み合わせは、組み合わせに含まれる２つの機能のうち、先に設定される機能の対象機能としての設定を解除して、後に設定される機能だけを対象機能として設定すべき組み合わせである。図７においては、第３パターンＰ３の組み合わせに対応する各マスは、「Ｐ３」の白抜きの文字列が付された背景が黒のマスとして表されている。
【０１１１】
例えば、図７に示す設定パターン情報ＳＰでは、モノクロ機能を先に設定される機能とし、カラー機能を後に設定される機能とする組み合わせＣ３、つまり、代替機能情報ＥＦ（図４）で定められている共に対象機能として設定できない代替可能な機能の組み合わせは、モノクロ機能が先に対象機能として設定された場合に、カラー機能を対象機能として設定しようとしたときには、先に対象機能として設定されたモノクロ機能の設定を解除すべきであるとして、第３パターンＰ３の組み合わせとして定められている。
【０１１２】
ただし、第３パターンＰ３の組み合わせは、代替機能情報ＥＦ（図４）で定められている代替可能な機能の組み合わせに限定されるものではない。例えば、図７に示す設定パターン情報ＳＰでは、カラーバランス調整機能を先に設定される機能とし、モノクロ機能を後に設定される機能とする組み合わせＣ４は、カラーバランス調整機能が先に対象機能として設定された場合に、モノクロ機能を対象機能として設定しようとしたときは、先に対象機能として設定されたカラーバランス調整機能の設定を解除すべきであるとして、第３パターンＰ３の組み合わせとして定められている。
【０１１３】
対象機能変更部１５は、対象機能変更処理を実行した場合に、例えば、カラー機能と集約オフ機能の２つの機能がユーザー禁止機能であると判定したときは、代替機能情報ＥＦ（図４）を用いて、当該２つのユーザー禁止機能に代替可能なモノクロ機能と２ｉｎ１集約機能の２つの機能をユーザー代替機能とする。
【０１１４】
ここで、モノクロ機能と２ｉｎ１集約機能は、それぞれ異なる機能分類（図４）に属しており、つまり、代替可能な機能の組み合わせではなく、共に対象機能として設定することが可能である。したがって、対象機能変更部１５は、モノクロ機能と２ｉｎ１集約機能の２つのユーザー代替機能は、共に対象機能として設定することが可能なユーザー代替機能であるユーザー共存可能機能であるものとして、当該２つのユーザー共存可能機能を対象機能として順次設定する。
【０１１５】
このとき、対象機能変更部１５は、設定パターン情報ＳＰにより定められた第３パターンＰ３の組み合わせを用いて、モノクロ機能と２ｉｎ１集約機能のそれぞれに対応する第１排他機能の数を把握する。
【０１１６】
具体的には、例えば図７に示す設定パターン情報ＳＰにおける第３パターンＰ３の組み合わせのうち、モノクロ機能が後に設定する機能ＡＦ１とされる組み合わせは、３つ存在する（図７における組み合わせＣ４，Ｃ５，Ｃ６）。つまり、当該３つの第３パターンＰ３の組み合わせによって、モノクロ機能よりも先に設定される機能として組み合わされている機能は３つ存在する（図７における縦軸のカラーバランス調整機能、色相調整機能、カラー機能）。当該３つの第３パターンＰ３の組み合わせ（図７における組み合わせＣ４，Ｃ５，Ｃ６）において、先に設定される機能として組み合わされている３つの機能（図７における縦軸のカラーバランス調整機能、色相調整機能、カラー機能）は、モノクロ機能が対象機能として設定され場合に、その対象機能としての設定が解除されるべき機能である。したがって、当該３つの先に設定される機能は、モノクロ機能と共に対象機能として設定することができない、モノクロ機能に対応する第１排他機能を示しているといえる。したがって、対象機能変更部１５は、モノクロ機能に対応する第１排他機能が、当該３つの第３パターンＰ３の組み合わせＣ４，Ｃ５，Ｃ６において、先に設定される機能として組み合わされているカラーバランス調整機能、色相調整機能、及びカラー機能の３つ存在することを把握する。
【０１１７】
これと同様に、第３パターンＰ３の組み合わせのうち、２ｉｎ１集約機能を後に設定する機能ＡＦ２とする組み合わせが２つ存在し（図７における組み合わせＣ７，Ｃ８）、つまり、当該２つの第３パターンＰ３の組み合わせによって、２ｉｎ１集約機能よりも先に設定される機能として組み合わされている機能は２つ存在する（図７における縦軸の集約オフ機能、固定倍率機能）。したがって、当該２つの第３パターンＰ３の組み合わせにおいて、先に設定される機能として組み合わされている２つの機能（図７における縦軸の集約オフ機能、固定倍率機能）は、２ｉｎ１集約機能と共に対象機能として設定することができない、２ｉｎ１集約機能に対応する第１排他機能を示しているといえる。したがって、対象機能変更部１５は、２ｉｎ１集約機能に対応する第１排他機能が、当該２つの第３パターンＰ３の組み合わせＣ７，Ｃ８において、先に設定される機能として組み合わされている集約オフ機能、及び固定倍率機能の２つ存在することを把握する。
【０１１８】
そこで、対象機能変更部１５は、モノクロ機能と２ｉｎ１集約機能の２つのユーザー共存可能機能のうち、より数多くの第１排他機能に対応するモノクロ機能から先に、対象機能として設定する。尚、当該モノクロ機能を対象機能として設定する際に、モノクロ機能に対応する第１排他機能である、カラーバランス調整機能、色相調整機能、及びカラー機能が先に対象機能として設定されている場合には、当該カラーバランス調整機能、色相調整機能及びカラー機能の対象機能としての設定を解除する。ここで、対象機能としての設定を解除するとは、具体的には、ＲＡＭに記憶されている当該対象機能を識別するための機能名等の情報を削除することを示す。
【０１１９】
次に、対象機能変更部１５は、２ｉｎ１集約機能を対象機能として設定する。当該設定の際に、２ｉｎ１集約機能に対応する第１排他機能である、集約オフ機能及び固定倍率機能が先に対象機能として設定されている場合には、当該集約オフ機能及び固定倍率機能の対象機能としての設定を解除する。
【０１２０】
これと同様に、初期機能変更部１９は、初期機能変更処理を実行した場合に、例えばカラー機能と集約オフ機能の２つの機能が初期禁止機能であったときは、当該２つの初期禁止機能に代替可能なモノクロ機能と２ｉｎ１集約機能の２つの機能を初期代替機能とする。
【０１２１】
当該２つの初期代替機能は互いに代替可能な機能の組み合わせではなく、共に対象機能として設定することが可能である。したがって、初期機能変更部１９は、当該モノクロ機能と２ｉｎ１集約機能の２つの初期代替機能は、共に対象機能として設定することが可能な初期代替機能である初期共存可能機能であるものとして、当該２つの初期共存可能機能を対象機能として順次設定する。
【０１２２】
ここで、初期機能変更部１９は、設定パターン情報ＳＰにより定められた第３パターンＰ３の組み合わせを用いて、モノクロ機能と２ｉｎ１集約機能のそれぞれに対応する第２排他機能の数を把握する。
【０１２３】
具体的には、例えば図７に示す設定パターン情報ＳＰにおける第３パターンＰ３の組み合わせのうち、モノクロ機能が後に設定する機能ＡＦ１とされる組み合わせは、３つ存在する（図７における組み合わせＣ４，Ｃ５，Ｃ６）。つまり、当該３つの第３パターンＰ３の組み合わせによって、モノクロ機能よりも先に設定される機能として組み合わされている機能は３つ存在する（図７における縦軸のカラーバランス調整機能、色相調整機能、カラー機能）。当該３つの第３パターンＰ３の組み合わせ（図７における組み合わせＣ４，Ｃ５，Ｃ６）において、先に設定される機能として組み合わされている３つの機能（図７における縦軸のカラーバランス調整機能、色相調整機能、カラー機能）は、モノクロ機能が対象機能として設定され場合に、その対象機能としての設定が解除されるべき機能である。したがって、当該３つの先に設定される機能は、モノクロ機能と共に対象機能として設定することができない、モノクロ機能に対応する第２排他機能を示しているといえる。したがって、初期機能変更部１９は、モノクロ機能に対応する第２排他機能が、当該３つの第３パターンＰ３の組み合わせＣ４，Ｃ５，Ｃ６において、先に設定される機能として組み合わされているカラーバランス調整機能、色相調整機能、及びカラー機能の３つ存在することを把握する。
【０１２４】
これと同様に、第３パターンＰ３の組み合わせのうち、２ｉｎ１集約機能を後に設定する機能ＡＦ２とする組み合わせが２つ存在し（図７における組み合わせＣ７，Ｃ８）、つまり、当該２つの第３パターンＰ３の組み合わせによって、２ｉｎ１集約機能よりも先に設定される機能として組み合わされている機能は２つ存在する（図７における縦軸の集約オフ機能、固定倍率機能）。したがって、当該２つの第３パターンＰ３の組み合わせにおいて、先に設定される機能として組み合わされている２つの機能（図７における縦軸の集約オフ機能、固定倍率機能）は、２ｉｎ１集約機能と共に対象機能として設定することができない、２ｉｎ１集約機能に対応する第２排他機能を示しているといえる。したがって、初期機能変更部１９は、２ｉｎ１集約機能に対応する第２排他機能が、当該２つの第３パターンＰ３の組み合わせＣ７，Ｃ８において、先に設定される機能として組み合わされている集約オフ機能、及び固定倍率機能の２つ存在することを把握する。
【０１２５】
そこで、初期機能変更部１９は、モノクロ機能と２ｉｎ１集約機能の２つの初期共存可能機能のうち、より数多くの第２排他機能に対応するモノクロ機能から先に、対象機能として設定する。尚、当該モノクロ機能を対象機能として設定する際に、モノクロ機能に対応する第２排他機能である、カラーバランス調整機能、色相調整機能、及びカラー機能が先に対象機能として設定されている場合には、当該カラーバランス調整機能、色相調整機能及びカラー機能の対象機能としての設定を解除する。
【０１２６】
次に、初期機能変更部１９は、２ｉｎ１集約機能を対象機能として設定する。当該設定の際に、２ｉｎ１集約機能に対応する第２排他機能である、集約オフ機能及び固定倍率機能が先に対象機能として設定されている場合には、当該集約オフ機能及び固定倍率機能の対象機能としての設定を解除する。
【０１２７】
次に、図８及び図９を用いて、対象機能変更処理及び初期機能変更処理の動作について説明する。図８は、対象機能変更処理の動作の一例を示すフローチャートである。図９は、初期機能変更処理の動作の一例を示すフローチャートである。
【０１２８】
例えば図８に示すように、複合機１の電源が投与され、複合機１が初期状態にある場合に、液晶ディスプレイＰに表示された操作画面内のソフトキーがタッチ操作されること等によって、制御部１０によって実行させる対象の機能がユーザーによって指定されると、対象機能設定部１３は、当該機能の指定を受け付け、受け付けた機能を対象機能として設定する（Ｓ１）。
【０１２９】
そして、自動ログイン制御部１４は、認可情報記憶部８３に記憶されている初期認可情報ＤＦ（図４）を用いて、ステップＳ１において設定された対象機能が初期認可機能であるか否かを判定する（Ｓ２）。
【０１３０】
ステップＳ２において、自動ログイン制御部１４は、ステップＳ１において設定された対象機能が初期認可機能であると判定した場合（Ｓ２；ＹＥＳ）、対象機能として設定されている機能を実行させるべく、ステップＳ３へ移行する。そして、制御部１０は、スタートキー７５（図２）が押下されていない、つまり、機能の動作の開始指示を受け付けていない間は（Ｓ３；ＮＯ）、ステップＳ１に戻ることを繰り返す。そして、制御部１０は、スタートキー７５（図２）が押下されることによって、機能の動作の開始指示を受け付けると（Ｓ３；ＹＥＳ）、対象機能として設定されている機能を実行させた後（Ｓ４）、ステップＳ１に戻る。
【０１３１】
一方、ステップＳ２において、自動ログイン制御部１４は、ステップＳ１において設定された対象機能が初期認可機能とは異なる機能であると判定した場合（Ｓ２；ＮＯ）、ログイン画面を液晶ディスプレイＰに表示させる（Ｓ５）。
【０１３２】
そして、例えば図５（ｂ）に示すように、キャンセルボタンＫ７が押下され、ログイン情報受付部１１によってログイン情報の入力が受け付けられなかった場合や、ログイン認証部１２によってログイン情報受付部１１で受け付けられたログイン情報がログイン情報記憶部８１に記憶されているログイン情報と一致しないと判定された場合（Ｓ６；ＮＯ）、制御部１０は、ステップＳ１で対象機能として設定された機能は、複合機１が初期状態の場合にユーザーが対象機能として設定することができない機能である旨のメッセージを液晶ディスプレイＰに表示する等して、対象機能として設定できないことを警告表示し（Ｓ７）、ステップＳ１に戻る。
【０１３３】
一方、ログイン情報受付部１１によってログイン情報が受け付けられ、ログイン認証部１２によって当該受け付けられたログイン情報がログイン情報記憶部８１に記憶されているログイン情報と一致すると判定されると（Ｓ６；ＹＥＳ）、当該ログイン情報に対応する認証ユーザーがログイン状態にされるので、これに応じて、対象機能変更部１５は、対象機能変更処理の実行を開始する。
【０１３４】
対象機能変更部１５は、対象機能変更処理の実行を開始すると、先ず、認可情報記憶部８３に記憶されているユーザー認可情報ＵＦ（図４）を用いて、対象機能設定部１３によって設定された対象機能の中に、ステップＳ６でログイン状態にされた認証ユーザーに対応付けられたユーザー認可機能とは異なる機能であるユーザー禁止機能が含まれているか否かを判定する（Ｓ８）。
【０１３５】
ステップＳ８において、対象機能変更部１５は、ユーザー禁止機能が含まれていると判定した場合（Ｓ８；ＹＥＳ）、代替機能情報記憶部８２に記憶されている代替機能情報ＥＦ（図４）を用いて、当該ユーザー禁止機能に代替可能な機能のうち、ステップＳ６でログイン状態にされた認証ユーザーに対応付けられたユーザー認可機能と一致する機能であるユーザー代替機能を当該ユーザー禁止機能に代えて対象機能として設定し、対象機能変更処理の実行を終了する（Ｓ９）。一方、ステップＳ８において、対象機能変更部１５は、ユーザー禁止機能が含まれていないと判定した場合は（Ｓ８；ＮＯ）、対象機能変更処理の実行を終了する。
【０１３６】
次に、例えば図９に示すように、例えばユーザーによってログアウト指示ボタン７４ｅが押下される等して、ログアウト指示受付部１７によってログアウト指示が受け付けられると（Ｓ２１；ＹＥＳ）、ログアウト処理部１８は、オールリセット処理部１６によってオールリセット処理を実行させるとともに、ログイン状態を解除して、複合機１を初期状態に変更する処理であるログアウト処理を実行する（Ｓ２２）。
【０１３７】
ログアウト処理が実行されると（Ｓ２２）、初期機能変更部１９は、初期機能変更処理の実行を開始し、認可情報記憶部８３に記憶されている初期認可情報ＤＦ（図４）を用いて、ステップＳ２２のログアウト処理におけるオールリセット処理によって、対象機能として設定された初期設定機能の中に、初期認可機能とは異なる機能である初期禁止機能が含まれているか否かを判定する（Ｓ２３）。
【０１３８】
ステップＳ２３において、初期機能変更部１９は、初期禁止機能が含まれていると判定した場合（Ｓ２３；ＹＥＳ）、代替機能情報記憶部８２に記憶されている代替機能情報ＥＦ（図４）を用いて、当該初期禁止機能に代替可能な機能のうち、初期認可機能と一致する機能である初期代替機能を、当該初期禁止機能に代えて対象機能として設定し、初期対象機能変更処理の実行を終了する（Ｓ２４）。一方、ステップＳ２３において、初期機能変更部１９は、初期禁止機能が含まれていないと判定した場合は（Ｓ２３；ＮＯ）、初期機能変更処理の実行を終了する。制御部１０は、複合機１がログイン状態にある認証ユーザーが存在しない初期状態に戻ったので、ステップＳ１に戻る。
【０１３９】
一方、ログアウト指示受付部１７によってログアウト指示が受け付けられていないときに（Ｓ２１；ＮＯ）、対象機能設定部１３によってユーザーから指定された機能が対象機能として設定されると（Ｓ２５）、制御部１０は、認可情報記憶部８３に記憶されているユーザー認可情報ＵＦ（図４）を用いて、ステップＳ２５において設定された対象機能がログイン状態にある認証ユーザーに対応付けられたユーザー認可機能とは異なる機能であるユーザー禁止機能であるか否かを判定する（Ｓ２６）。
【０１４０】
ステップＳ２６において、制御部１０は、ステップＳ２５において設定された対象機能がユーザー禁止機能であると判定した場合（Ｓ２６；ＹＥＳ）、ステップＳ２５で対象機能として設定された機能は、ログイン状態にある認証ユーザーによって対象機能として設定できない機能である旨のメッセージを液晶ディスプレイＰに表示する等して、対象機能として設定できないことを警告表示し（Ｓ２９）、ステップＳ２５に戻る。
【０１４１】
一方、ステップＳ２６において、制御部１０は、ステップＳ２５において設定された対象機能がユーザー禁止機能ではないと判定した場合（Ｓ２６；ＮＯ）、スタートキー７５（図２）が押下されていない、つまり、機能の動作の開始指示が受け付けられていない間は（Ｓ２７；ＮＯ）、ステップＳ２１に戻ることを繰り返す。そして、制御部１０は、スタートキー７５（図２）が押下されることによって、機能の動作の開始指示を受け付けると（Ｓ２７；ＹＥＳ）、対象機能として設定されている機能を実行させた後（Ｓ２８）、ステップＳ２１に戻る。
【０１４２】
このように、上記実施形態の構成によれば、認証ユーザーがログイン状態になった場合に、ユーザー禁止機能に代えてユーザー代替機能が自動的に対象機能として設定される。このため、認証ユーザーがログイン状態になった場合に、認証ユーザーが手動でユーザー禁止機能に代えて、当該ユーザー禁止機能に代替可能なユーザー代替機能を対象機能として設定する場合に比して、ユーザー代替機能を対象機能として設定する手間を軽減することができる。
【０１４３】
また、上記実施形態の構成によれば、ログアウト処理が実行されると、認証ユーザーによって対象機能として設定されていた全ての機能に代えて、初期設定機能が対象機能として設定された状態となり、複合機１が初期状態に変更される。そして、初期機能変更部１９によって、当該対象機能として設定された初期設定機能のうちの初期認可機能とは異なる初期禁止機能に代えて、初期代替機能が対象機能として設定される。このため、複合機１が初期状態になった場合に、ユーザーが手動で初期禁止機能に代えて、当該初期禁止機能に代替可能な初期代替機能を対象機能として設定する場合に比して、初期代替機能を対象機能として設定する手間を軽減することができる。
【０１４４】
また、上記実施形態の構成によれば、認証ユーザーがログイン状態になった場合に、ユーザー禁止機能が複数存在するときには、当該複数のユーザー禁止機能に代えて複数のユーザー代替機能を対象機能として設定する際に、既に対象機能として設定済みのユーザー代替機能と共に設定可能なユーザー代替機能であるユーザー共存可能機能であって、当該ユーザー共存可能機能と共に設定できない他の機能である第１排他機能の数が多いユーザー代替機能から先に対象機能として順次設定される。
【０１４５】
したがって、後に対象機能として設定されるユーザー代替機能になるほど、共に設定できない他の機能の数が少なくなるので、後にユーザー代替機能が対象機能として設定されることによって、先に対象機能として設定されたユーザー代替機能がその設定を解除される確率を下げることができ、効率よく、複数のユーザー代替機能を対象機能として設定することができる。
【０１４６】
また、上記実施形態の構成によれば、複合機１が初期状態になった場合に、初期禁止機能が複数存在するときには、当該複数の初期禁止機能に代えて複数の初期代替機能を対象機能として設定する際に、既に対象機能として設定済みの初期代替機能と共に設定可能な初期代替機能である初期共存可能機能であって、当該初期共存可能機能と共に設定できない他の機能である第２排他機能の数が多い初期代替機能から先に対象機能として順次設定される。
【０１４７】
したがって、後に対象機能として設定される初期代替機能になるほど、共に設定できない他の機能の数が少なくなるので、後に初期代替機能が対象機能として設定されることによって、先に対象機能として設定された初期代替機能がその設定を解除される確率を下げることができ、効率よく、複数の初期代替機能を対象機能として設定することができる。
【０１４８】
また、上記実施形態の構成によれば、複数のユーザー共存可能機能を対象機能として順次設定する場合に、設定対象のユーザー共存可能機能に対して、第３パターンＰ３（図７）の組み合わせにより、先に設定される機能として組み合わされた機能の数が多いものから先に対象機能として設定される。また、ユーザー共存可能機能を対象機能として順次設定する度に、設定対象のユーザー共存可能機能に対して、第３パターンＰ３の組み合わせにより、先に設定される機能として組み合わされた機能が対象機能として設定されているときには、当該先の対象機能としての設定が解除される。
【０１４９】
したがって、後にユーザー共存可能機能を対象機能として設定するほど、既に対象機能としての設定が解除されている機能の数が多くなるので、設定対象のユーザー共存可能機能に対応する第１排他機能が対象機能として設定されている可能性が低くなる。これによって、設定対象のユーザー共存可能機能との関係で、先に対象機能として設定されるべきでない対象機能としての設定を解除する処理を行う機会を軽減することができる。
【０１５０】
更に、上記実施形態の構成によれば、複数の初期共存可能機能を対象機能として順次設定する場合に、設定対象の初期共存可能機能に対して、第３パターンＰ３（図７）の組み合わせにより、先に設定される機能として組み合わされた機能の数が多いものから先に対象機能として設定される。また、初期共存可能機能を対象機能として順次設定する度に、設定対象の初期共存可能機能に対して、第３パターンＰ３の組み合わせにより、先に設定される機能として組み合わされた機能が対象機能として設定されているときには、当該先の対象機能としての設定が解除される。
【０１５１】
したがって、後に初期共存可能機能を対象機能として設定するほど、既に対象機能としての設定が解除されている機能の数が多くなるので、設定対象の初期共存可能機能に対応する第２排他機能が対象機能として設定されている可能性が低くなる。これによって、設定対象の初期共存可能機能との関係で、先に対象機能として設定されるべきでない対象機能としての設定を解除する処理を行う機会を軽減することができる。
【０１５２】
また、上記実施形態の構成によれば、設定された対象機能が初期認可機能と異なる場合には、自動的にログイン情報受付部１１へのログイン情報の入力が案内される。このため、設定された対象機能が初期認可機能と異なる場合に、当該異なることに気づいたユーザーが手動でログイン情報受付部１１へのログイン情報の入力の操作を行う場合に比して、迅速に、ログイン情報の入力の操作を行うことができる。
【０１５３】
このため、当該案内に従って、迅速に、例えば当該対象機能として設定された機能がユーザー認可機能として対応付けられている認証ユーザーに対応するログイン情報を入力することができ、当該対象機能として設定された機能を制御部１０によって実行させることが可能となる。
【０１５４】
尚、本発明に係る画像形成装置は、上記の複合機１に適用される場合の他、プリンター、コピー機、スキャナー装置等の画像形成装置に適用することが可能である。また、上記実施形態において図１乃至図９に示した構成は単なる一例に過ぎず、本発明を当該実施形態に限定する趣旨ではない。
【０１５５】
例えば、自動ログイン制御部１４を備えないように簡素化して構成してもよい。これに合わせて、ステップＳ１の実行後、ステップＳ２（図８）に代えて、制御部１０は、ステップＳ２６（図９）と同様に、認可情報記憶部８３に記憶されている初期認可情報ＤＦ（図４）を用いて、ステップＳ１（図８）において設定された対象機能が初期認可機能とは異なる機能である初期禁止機能であるか否かを判定するように構成してもよい。そして、制御部１０は、当該判定において初期禁止機能であると判定した場合には、ステップＳ２９（図９）と同様に、ステップＳ１で対象機能として設定された機能は、ログイン状態になっていないユーザーが対象機能として設定できない機能である旨のメッセージを液晶ディスプレイＰに表示する等して、対象機能として設定できないことを警告表示するように構成してもよい。また、ログイン指示ボタン７４ｄが押下された場合に、ステップＳ５（図８）以降の処理を実行するように構成してもよい。
【０１５６】
また、設定パターン情報記憶部８４を備えないように簡素化して構成してもよい。これに合わせて、対象機能変更部１５は、対象機能変更処理において、ユーザー禁止機能が複数存在する場合に、複数のユーザー禁止機能に代えて複数のユーザー代替機能をそれぞれ対象機能として設定する際に、予め定められた優先順の高いユーザー代替機能から先に対象機能として設定するように簡素化して構成してもよい。これと同様に、初期機能変更部１９は、初期機能変更処理において、初期禁止機能が複数存在する場合に、複数の初期禁止機能に代えて複数の初期代替機能をそれぞれ対象機能として設定する際に、予め定められた優先順の高い初期代替機能から先に対象機能として設定するように簡素化して構成してもよい。尚、予め定められた優先順は、例えば機能の名称の五十音順や、機能の使用頻度順等によって適宜定めてよい。
【０１５７】
また、オールリセット処理部１６、ログアウト指示受付部１７、ログアウト処理部１８、及び初期機能変更部１９を備えないように簡素化して構成してもよい。これに合わせて、ステップＳ２１〜Ｓ２４を実行しないように構成してもよい。
【０１５８】
また、ユーザー共存可能機能に対応する第１排他機能は、設定パターン情報ＳＰ（図７）の第３パターンＰ３の組み合わせにおいて、先に設定される機能として組み合わされている機能であるとしたが、更に、設定パターン情報ＳＰ（図７）の第１パターンＰ１の組み合わせにおいて、先に設定される機能として組み合わされている機能を含めてもよい。ただし、この場合、対象機能変更部１５は、ユーザー共存可能機能を順次対象機能として設定する度に、当該設定対象のユーザー共存可能機能に対応する第１排他機能が対象機能として設定されていたとしても、当該設定対象のユーザー共存可能機能に対応する第１排他機能の対象機能としての設定を解除しないように構成される。
【０１５９】
これと同様に、初期共存可能機能に対応する第２排他機能は、設定パターン情報ＳＰ（図７）の第３パターンＰ３の組み合わせにおいて、先に設定される機能として組み合わされている機能であるとしたが、更に、設定パターン情報ＳＰ（図７）の第１パターンＰ１の組み合わせにおいて、先に設定される機能として組み合わされている機能を含めてもよい。ただし、この場合、初期機能変更部１９は、初期共存可能機能を順次対象機能として設定する度に、当該設定対象の初期共存可能機能に対応する第２排他機能が対象機能として設定されていたとしても、当該設定対象の初期共存可能機能に対応する第２排他機能の対象機能としての設定を解除しないように構成される。
【符号の説明】
【０１６０】
１        ：複合機（画像形成装置）
１０      ：制御部
１１      ：ログイン情報受付部
１２      ：ログイン認証部
１３      ：対象機能設定部
１４      ：自動ログイン制御部
１５      ：対象機能変更部
１６      ：オールリセット処理部
１７      ：ログアウト指示受付部
１８      ：ログアウト処理部
１９      ：初期機能変更部
７４ａ    ：システムメニューボタン
７４ｄ    ：ログイン指示ボタン
７４ｅ    ：ログアウト指示ボタン
７５      ：スタートキー
７６      ：ストップキー
７７      ：リセットキー
８１      ：ログイン情報記憶部
８２      ：代替機能情報記憶部
８３      ：認可情報記憶部
８４      ：設定パターン情報記憶部
ＤＦ      ：初期認可情報
ＥＦ      ：代替機能情報
Ｐ        ：液晶ディスプレイ
Ｐ１      ：第１パターン
Ｐ２      ：第２パターン
Ｐ３      ：第３パターン
ＳＰ      ：設定パターン情報
ＵＦ      ：ユーザー認可情報
【図１】
0005638034.tif 000002
【図２】
0005638034.tif 000003
【図３】
0005638034.tif 000004
【図４】
0005638034.tif 000005
【図５】
0005638034.tif 000006
【図６】
0005638034.tif 000007
【図７】
0005638034.tif 000008
【図８】
0005638034.tif 000009
【図９】
0005638034.tif 000010